【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
携帯端末にインストールされるアプリケーションによって実現される制御方法であって、
通信装置をソフトウェアアクセスポイントモードで動作させるために前記通信装置のボタンをどう押せばよいかをユーザに示す画面を表示する表示ステップと、
次の工程に進むことを示す指示が前記画面においてユーザに入力されたことに基づいて、前記携帯端末を前記ソフトウェアアクセスポイントモードで動作中の前記通信装置に接続させる接続ステップと、
前記通信装置をアクセスポイントに接続させるために、前記アクセスポイントのＳＳＩＤと、前記アクセスポイントに接続するためのパスワードとを、前記通信装置に送信する送信ステップとを有し、
前記接続ステップにおいて、前記ソフトウェアアクセスポイントモードで動作中の前記通信装置に接続するように前記アプリケーションが前記携帯端末のＯＳに指示し、
前記ソフトウェアアクセスポイントモードで動作する前記通信装置のＳＳＩＤと、前記ソフトウェアアクセスポイントモードで動作する前記通信装置に接続するためのパスワードは、前記アプリケーションが前記携帯端末にインストールされる前から前記アプリケーションのプログラムに予め組み込まれていることを特徴とする制御方法。
【請求項２】
前記接続ステップにおいて前記通信装置への接続が成功したときに、前記アクセスポイントに接続するためのパスワードの入力をユーザに要求するパスワード入力画面を表示する表示ステップを更に有し、
前記パスワード入力画面において入力されたパスワードが、前記送信ステップにおいて前記通信装置に送信されることを特徴とする請求項１に記載の制御方法。
【請求項３】
次の工程に進むことを示す指示が前記画面においてユーザに入力されたときに、前記携帯端末が接続中のアクセスポイントのＳＳＩＤを記憶する記憶ステップを更に有し、
前記記憶ステップで記憶したＳＳＩＤが、前記送信ステップにおいて前記通信装置に送信されることを特徴とする請求項１又は２に記載の制御方法。
【請求項４】
前記記憶ステップの後に前記接続ステップが実行されることを特徴とする請求項３に記載の制御方法。
【請求項５】
前記送信ステップにおいて送信されるＳＳＩＤとパスワードは、前記表示ステップにおいて前記画面が表示されているときに前記携帯端末が接続中のアクセスポイントのＳＳＩＤと当該アクセスポイントに接続するためのパスワードであることを特徴とする請求項１に記載の制御方法。
【請求項６】
前記携帯端末が接続中のアクセスポイントのＳＳＩＤは前記ＯＳから取得され、当該アクセスポイントに接続するためのパスワードはユーザの入力によって特定されることを特徴とする請求項５に記載の制御方法。
【請求項７】
前記接続ステップにおいて前記通信装置への接続が失敗した場合に、前記通信装置の近くで再度接続を行うことをユーザに促す第１のエラー画面が表示されることを特徴とする請求項１から６のいずれか１項に記載の制御方法。
【請求項８】
前記接続ステップは、
前記携帯端末がアクセスポイントに接続中であるか否かを判定するステップと、
前記携帯端末がアクセスポイントに接続中であると判定された場合に、前記携帯端末を前記ソフトウェアアクセスポイントモードで動作中の前記通信装置に接続させるステップとを有することを特徴とする請求項１から７のいずれか１項に記載の制御方法。
【請求項９】
前記携帯端末がアクセスポイントに接続中ではないと判定された場合に、前記携帯端末をアクセスポイントに接続することをユーザに促す第２のエラー画面が表示されることを特徴とする請求項８に記載の制御方法。
【請求項１０】
携帯端末にインストールされるアプリケーションのプログラムであって、
通信装置をソフトウェアアクセスポイントモードで動作させるために前記通信装置のボタンをどう押せばよいかをユーザに示す画面を表示する表示ステップと、
次の工程に進むことを示す指示が前記画面においてユーザに入力されたことに基づいて、前記携帯端末を前記ソフトウェアアクセスポイントモードで動作中の前記通信装置に接続させる接続ステップと、
前記通信装置をアクセスポイントに接続させるために、前記アクセスポイントのＳＳＩＤと、前記アクセスポイントに接続するためのパスワードとを、前記通信装置に送信する送信ステップとを実行するためのプログラムであり、
前記接続ステップにおいて、前記ソフトウェアアクセスポイントモードで動作中の前記通信装置に接続するように前記アプリケーションが前記携帯端末のＯＳに指示し、
前記ソフトウェアアクセスポイントモードで動作する前記通信装置のＳＳＩＤと、前記ソフトウェアアクセスポイントモードで動作する前記通信装置に接続するためのパスワードは、前記アプリケーションが前記携帯端末にインストールされる前から前記アプリケーションのプログラムに予め組み込まれていることを特徴とするプログラム。
【請求項１１】
前記接続ステップにおいて前記通信装置への接続が成功したときに、前記アクセスポイントに接続するためのパスワードの入力をユーザに要求するパスワード入力画面を表示する表示ステップを更に有し、
前記パスワード入力画面において入力されたパスワードが、前記送信ステップにおいて前記通信装置に送信されることを特徴とする請求項１０に記載のプログラム。
【請求項１２】
次の工程に進むことを示す指示が前記画面においてユーザに入力されたときに、前記携帯端末が接続中のアクセスポイントのＳＳＩＤを記憶する記憶ステップを更に有し、
前記記憶ステップで記憶したＳＳＩＤが、前記送信ステップにおいて前記通信装置に送信されることを特徴とする請求項１０又は１１に記載のプログラム。
【請求項１３】
前記記憶ステップの後に前記接続ステップが実行されることを特徴とする請求項１２に記載のプログラム。
【請求項１４】
前記送信ステップにおいて送信されるＳＳＩＤとパスワードは、前記表示ステップにおいて前記画面が表示されているときに前記携帯端末が接続中のアクセスポイントのＳＳＩＤと当該アクセスポイントに接続するためのパスワードであることを特徴とする請求項１０に記載のプログラム。
【請求項１５】
前記携帯端末が接続中のアクセスポイントのＳＳＩＤは前記ＯＳから取得され、当該アクセスポイントに接続するためのパスワードはユーザの入力によって特定されることを特徴とする請求項１４に記載のプログラム。
【請求項１６】
前記接続ステップにおいて前記通信装置への接続が失敗した場合に、前記通信装置の近くで再度接続を行うことをユーザに促す第１のエラー画面が表示されることを特徴とする請求項１０から１５のいずれか１項に記載のプログラム。
【請求項１７】
前記接続ステップは、
前記携帯端末がアクセスポイントに接続中であるか否かを判定するステップと、
前記携帯端末がアクセスポイントに接続中であると判定された場合に、前記携帯端末を前記ソフトウェアアクセスポイントモードで動作中の前記通信装置に接続させるステップとを有することを特徴とする請求項１０から１６のいずれか１項に記載のプログラム。
【請求項１８】
前記携帯端末がアクセスポイントに接続中ではないと判定された場合に、前記携帯端末をアクセスポイントに接続することをユーザに促す第２のエラー画面が表示されることを特徴とする請求項１７に記載のプログラム。
【手続補正２】
【補正対象書類名】明細書
【補正対象項目名】発明の名称
【補正方法】変更
【補正の内容】
【発明の名称】制御方法、プログラム
【手続補正３】
【補正対象書類名】明細書
【補正対象項目名】０００１
【補正方法】変更
【補正の内容】
【０００１】
本発明は制御方法及びプログラムに関する。
【手続補正４】
【補正対象書類名】明細書
【補正対象項目名】０００６
【補正方法】変更
【補正の内容】
【０００６】
上述した課題を解決するために、本発明が提供する制御方法は、携帯端末にインストールされるアプリケーションによって実現される制御方法であって、通信装置をソフトウェアアクセスポイントモードで動作させるために前記通信装置のボタンをどう押せばよいかをユーザに示す画面を表示する表示ステップと、次の工程に進むことを示す指示が前記画面においてユーザに入力されたことに基づいて、前記携帯端末を前記ソフトウェアアクセスポイントモードで動作中の前記通信装置に接続させる接続ステップと、前記通信装置をアクセスポイントに接続させるために、前記アクセスポイントのＳＳＩＤと、前記アクセスポイントに接続するためのパスワードとを、前記通信装置に送信する送信ステップとを有し、前記接続ステップにおいて、前記ソフトウェアアクセスポイントモードで動作中の前記通信装置に接続するように前記アプリケーションが前記携帯端末のＯＳに指示し、前記ソフトウェアアクセスポイントモードで動作する前記通信装置のＳＳＩＤと、前記ソフトウェアアクセスポイントモードで動作する前記通信装置に接続するためのパスワードは、前記アプリケーションが前記携帯端末にインストールされる前から前記アプリケーションのプログラムに予め組み込まれていることを特徴とする。
【手続補正５】
【補正対象書類名】明細書
【補正対象項目名】０００７
【補正方法】変更
【補正の内容】
【０００７】
また、本発明が提供するプログラムは、携帯端末にインストールされるアプリケーションのプログラムであって、通信装置をソフトウェアアクセスポイントモードで動作させるために前記通信装置のボタンをどう押せばよいかをユーザに示す画面を表示する表示ステップと、次の工程に進むことを示す指示が前記画面においてユーザに入力されたことに基づいて、前記携帯端末を前記ソフトウェアアクセスポイントモードで動作中の前記通信装置に接続させる接続ステップと、前記通信装置をアクセスポイントに接続させるために、前記アクセスポイントのＳＳＩＤと、前記アクセスポイントに接続するためのパスワードとを、前記通信装置に送信する送信ステップとを実行するためのプログラムであり、前記接続ステップにおいて、前記ソフトウェアアクセスポイントモードで動作中の前記通信装置に接続するように前記アプリケーションが前記携帯端末のＯＳに指示し、前記ソフトウェアアクセスポイントモードで動作する前記通信装置のＳＳＩＤと、前記ソフトウェアアクセスポイントモードで動作する前記通信装置に接続するためのパスワードは、前記アプリケーションが前記携帯端末にインストールされる前から前記アプリケーションのプログラムに予め組み込まれていることを特徴とする。